【手続補正書】
【提出日】平成15年12月3日(2003.12.3)
【手続補正１】
【補正対象書類名】明細書
【補正対象項目名】発明の名称
【補正方法】変更
【補正の内容】
【発明の名称】加熱装置及び画像形成装置


【手続補正２】
【補正対象書類名】明細書
【補正対象項目名】特許請求の範囲
【補正方法】変更
【補正の内容】
【特許請求の範囲】
【請求項１】
未定着像を担持したシート状の転写材に少なくとも熱供給により定着処理を施すようになっている加熱装置であって、外部から通電を受けて放熱する放熱面が形成されている加熱手段と、放熱面に摺接するための一方の面が形成されたフィルム状の定着体と、未定着像を担持したシート状の転写材を介して定着体の他方の面に圧接されることにより、上記一方の面を放熱面に摺接せしめる回転体状の回転自在な加圧体と、加熱手段の加熱温度を検知する温度検知手段とを備える加熱装置において、加熱手段の起動前の温度検知手段の検知温度に応じて、加熱手段が起動されてから定着体と加圧体との間に形成されたニップ部に上記転写材が到達するまでに加熱手段が昇温し維持される第一の加熱温度と、上記転写材がニップ部に到達してからニップ部を通過するまでの間に加熱手段が昇温し維持される第二の加熱温度とを決定すると共に、上記転写材がニップ部に到達すると同時若しくはほぼ同時に加熱手段の加熱温度が第一の加熱温度から第二の加熱温度に切り換わるよう設定されていることを特徴とする加熱装置。
【請求項２】
第一の加熱温度は第二の加熱温度よりも低くなるよう設定されていることとする請求項１に記載の加熱装置。
【請求項３】
第一の加熱温度と第二の加熱温度との差分の絶対値は、加熱手段の起動前の温度検知手段の検知温度が低くなるに伴い、小さくなるよう設定されていることとする請求項１又は請求項２の記載の加熱装置。
【請求項４】
定着体は耐熱性を有することとする請求項１ないし請求項３のいずれか一項に記載の加熱装置。
【請求項５】
未定着像を担持したシート状の転写材に少なくとも熱供給により定着処理を施すようになっている加熱装置であって、外部から通電を受けて放熱する放熱面が形成されている加熱手段と、放熱面に摺接するための一方の面が形成されたフィルム状の定着体と、未定着像を担持したシート状の転写材を介して定着体の他方の面に圧接されることにより、上記一方の面を放熱面に摺接せしめる回転体状の回転自在な加圧体と、加熱手段の加熱温度を検知する温度検知手段とを備える加熱装置において、加熱手段の起動前の温度検知手段の検知温度に応じて、加熱手段の起動時から定着体と加圧体との間に形成されたニップ部から上記転写材の搬送方向に対して上流側に位置する所定位置に上記転写材が到達するまでに加熱手段が昇温し維持される第一の加熱温度と、上記転写材が上記所定位置に到達してからニップ部を通過するまでの間に加熱手段が昇温し維持される第二の加熱温度とを決定すると共に、上記転写材が上記所定位置に到達すると同時若しくはほぼ同時に加熱手段の加熱温度が第一の加熱温度から第二の加熱温度に切り換わるよう設定されていることを特徴とする加熱装置。
【請求項６】
所定位置は、未定着像を担持した転写材の搬送方向に対してニップ部から上流側に１５ｍｍから４０ｍｍの間に位置していることとする請求項５に記載の加熱装置。
【請求項７】
第一の加熱温度は第二の加熱温度よりも低くなるよう設定されていることとする請求項５又は請求項６に記載の加熱装置。
【請求項８】
第一の加熱温度と第二の加熱温度との差分の絶対値は、加熱手段の起動前の温度検知手段の検知温度が低くなるに伴い、小さくなるよう設定されていることとする請求項５ないし請求項７のいずれか一項に記載の加熱装置。
【請求項９】
定着体は耐熱性を有することとする請求項５ないし請求項８のいずれか一項に記載の加熱装置。
【請求項１０】
未定着像を担持したシート状の転写材に定着処理を施す定着装置を有する画像形成装置であって、外部から通電を受けて定着体を加熱する加熱手段と、未定着像を担持したシート状の転写材を介して定着体の他方の面に圧接される回転体状の回転自在な加圧体と、上記加熱手段の加熱温度を検知する温度検知手段と、上記温度検知手段の検知温度に応じて、上記加熱手段への通電を制御する通電制御手段とを有し、上記通電制御手段は、上記転写材がニップ部に到達すると同時若しくはほぼ同時に検知温度の目標温度を第一の温度から第二の温度に切り換えることを特徴とする画像形成装置。
【手続補正３】
【補正対象書類名】明細書
【補正対象項目名】０００１
【補正方法】変更
【補正の内容】
【０００１】
【発明の属する技術分野】
本発明は、電子写真装置又は静電記録装置等の画像形成装置に活用される加熱装置であって、未定着像を担持したシート状の転写材に少なくとも熱供給により定着処理を施すようになっている加熱装置及びこれを有する画像形成装置に関するものである。


【手続補正４】
【補正対象書類名】明細書
【補正対象項目名】００２０
【補正方法】変更
【補正の内容】
【００２０】
そこで、本発明は、加熱手段における電力消費の節約を図りつつも、常時、安定した定着処理を行うことができると共に画像形成装置の内部の過昇温を抑制することができる加熱装置及びこれを有する画像形成装置の提供を目的とする。


【手続補正５】
【補正対象書類名】明細書
【補正対象項目名】００２１
【補正方法】変更
【補正の内容】
【００２１】
【課題を解決するための手段】
本出願に依れば、上記目的は、加熱装置に関しては、未定着像を担持したシート状の転写材に少なくとも熱供給により定着処理を施すようになっている加熱装置であって、外部から通電を受けて放熱する放熱面が形成されている加熱手段と、放熱面に摺接するための一方の面が形成されたフィルム状の定着体と、未定着像を担持したシート状の転写材を介して定着体の他方の面に圧接されることにより、上記一方の面を放熱面に摺接せしめる回転体状の回転自在な加圧体と、加熱手段の加熱温度を検知する温度検知手段とを備える加熱装置において、加熱手段の起動前の温度検知手段の検知温度に応じて、加熱手段が起動されてから定着体と加圧体との間に形成されたニップ部に上記転写材が到達するまでに加熱手段が昇温し維持される第一の加熱温度と、上記転写材がニップ部に到達してからニップ部を通過するまでの間に加熱手段が昇温し維持される第二の加熱温度とを決定すると共に、上記転写材がニップ部に到達すると同時若しくはほぼ同時に加熱手段の加熱温度が第一の加熱温度から第二の加熱温度に切り換わるよう設定されているという第一の発明により達成される。


【手続補正６】
【補正対象書類名】明細書
【補正対象項目名】００２９
【補正方法】変更
【補正の内容】
【００２９】
更に、本出願に依れば、上記目的は、第五の発明ないし第八の発明のいずれかにおいて、定着体は耐熱性を有するという第九の発明によっても達成される。
更に、本出願に依れば、上記目的は、画像形成装置に関しては、未定着像を担持したシート状の転写材に定着処理を施す定着装置を有する画像形成装置であって、外部から通電を受けて定着体を加熱する加熱手段と、未定着像を担持したシート状の転写材を介して定着体の他方の面に圧接される回転体状の回転自在な加圧体と、上記加熱手段の加熱温度を検知する温度検知手段と、上記温度検知手段の検知温度に応じて、上記加熱手段への通電を制御する通電制御手段とを有し、上記通電制御手段は、上記転写材がニップ部に到達すると同時若しくはほぼ同時に検知温度の目標温度を第一の温度から第二の温度に切り換えることによって達成される。
【手続補正７】
【補正対象書類名】明細書
【補正対象項目名】００３８
【補正方法】変更
【補正の内容】
【００３８】
更に、本出願にかかる第九の発明にあっては、加熱手段は、耐熱性を有する定着体を介して、ニップ部を急激に加熱する。
更に、本出願にかかる第十の発明にあっては、画像形成装置において、転写材がニップ部に到達すると同時若しくはほぼ同時に検知温度の目標温度を第一の温度から第二の温度に切り換えられる。
【手続補正８】
【補正対象書類名】明細書
【補正対象項目名】００６７
【補正方法】変更
【補正の内容】
【００６７】
【発明の効果】
以上にて説明してきたように、本出願にかかる第一の発明に依れば、加熱装置において、加熱手段の起動前の温度検知手段の検知温度に応じて第一の加熱温度及び第二の加熱温度が設定されると共に、未定着像を担持した転写材がニップ部に到達するまでは、加熱手段は第一の加熱温度にてニップ部等を加熱し、上記転写材がニップ部に到達すると同時若しくはほぼ同時に加熱手段は、加熱温度を第一の加熱温度から第二の加熱温度に切り換えてニップ部等を加熱するので、加熱手段における電力消費の節約を図りつつも、常時、安定した定着処理を行うことができると共に画像形成装置の内部の過昇温を抑制可能な加熱装置を提供することができる。


【手続補正９】
【補正対象書類名】明細書
【補正対象項目名】００７５
【補正方法】変更
【補正の内容】
【００７５】
更に、本出願にかかる第九の発明に依れば、加熱手段は、耐熱性を有する定着体を介して、ニップ部を急激に加熱するので、定着処理に要する電力消費を必要最小限に抑えることができる。
更には、本出願にかかる第十の発明に依れば、上記第一の発明の効果を有する画像形成装置を得る。